(57)【要約】【課題】  商品の巾により使用が制限されない商品前出し陳列装置及びこれに用いられる商品前出し器具を提供すること。【解決手段】  ケースの対向する側壁の内面に縦方向に溝部を多数設ける。レール上を摺動する押し板とバネとより成る商品前出し器具を作り、前記レールの両端に一対の係止ピンを取付ける。この商品前出し器具の係止ピンを前記ケースの溝部に挿入して該商品前出し器具をケース内に取付けて巾変更可能型の商品前出し陳列装置を構成する。【選択図】        図１
2005237566.tif 000002
【特許請求の範囲】
【請求項１】
長手方向に２つの摺動部を持つレールと、
基部が前記レールに係合し、該レールから上方へ続く押部とバネ収納室とを持つ押し板と、
前記バネ収納室内に収納され、その先端を前記レール側に取付られ、前記押し板を引っ張るバネと、
前記レール両端に突設の複数の係止ピンとを備えたことを特徴とする商品前出し器具。
【請求項２】
前記複数の係止ピンは、前記レール両端に嵌合され、前記バネを引っ掛ける係止片を持つ嵌合具に設けられていることを特徴とする請求項１記載の商品前出し器具。
【請求項３】
ケースの対向する側壁の内面に縦方向に溝部を多数設け、選択された取付位置に該当の複数の溝部に、前記請求項１の商品前出し器具の両端に設けられた複数の係止ピンをそれぞれ別々に挿入したことを特徴とする商品前出し陳列装置。
【請求項４】
ケースの対向する側壁の内面に縦方向に溝部を多数設け、選択された取付位置に該当の一つの溝部に、前記請求項１の商品前出し器具を９０度回転して横置し、その両端の複数の係止ピンを共に挿入したことを特徴とする商品前出し陳列装置。
【請求項５】
前記請求項１記載の商品前出し器具を９０度回転して横置にした時に、複数の係止ピンの一方が前記ケースの溝部の上端に引っ掛る形状とすることを特徴とする請求項３又は４記載の商品前出し陳列装置。
【請求項６】
前記係止ピンの一方が前記溝部の上端に引っ掛る形状とは、その一部が前記溝部の横寸法と同等又はそれ以上とすることを特徴とする請求項５記載の商品前出し陳列装置。
【発明の詳細な説明】
【技術分野】
【０００１】
この発明は、陳列された商品を後方から前方へ押し出す働きをし、商品を取り出す毎に後方から残りの商品を押し出す商品前出し器具及びこれを用いた商品前出し陳列装置に関する。
【背景技術】
【０００２】
陳列商品の押し出し装置として、色々な形態のものがあり、例えば特許文献１、特許文献２などに開示されている。特許文献１に示されているものは、商品を押し出す手段として渦巻状の板バネ３１を用いて商品保持具２を前方へスライドさせて、商品を前方へ順次押し出していた。この商品保持具２は、商品Ｍを収納するケース本体１内に配され、このケース本体１の巾方向は予め収納される商品別に定められ、巾に合わない商品には使用出来ず、商品別に商品陳列ケースが製作されていた。
【０００３】
特許文献２に示されているものは、上方開口するケース本体１と、このケース本体１内に落とし込んでケース本体の底面１との間にばね収納部３を形成する商品受け板２と、前記ばね収納部に収納されたばね４と、このばね４に係止されて前記商品受け板上の商品を押す摺動子５とから成っている。そして、この前出し装置を複数列並設した例が図３に示され、ケース１を仕切板８によって複数区画に分割し、各区画にそれぞれ前出し装置の部材を組み込んだ構成となっている。
【特許文献１】特公昭６３−６１００７号公報
【特許文献２】実用新案登録第２５９７３７６号公報
【発明の開示】
【発明が解決しようとする課題】
【０００４】
商品を収納する場合、前記特許文献１にあってケース本体１の巾方向は定められ、動かすことは出来ず、巾より大きいものは入らず、巾より小さいものは入るが、横方向に商品がずれて、見た目が悪く、また、特許文献２にあっては、複数個の商品を陳列するためにケース本体１を仕切板８にて複数区画に分割し、前出し装置の部分を組込んでいるが、この例にあっても仕切板８が固定され、商品の巾が異なれば、ケース本体１を新たに製作する必要があった。
【０００５】
そこで、この発明は、第１に商品の巾により使用が制限されない商品前出し陳列装置及びこれに用いられる商品前出し器具を提供することにある。第２に商品前出し器具の押し板が商品に対して横方向より押し当てることが出来るようにすることにある。第３に前記の場合にあって商品前出し器具が底面より所定の高さの適正位置に設置できる商品前出し陳列装置を提供することにある。
【課題を解決するための手段】
【０００６】
上記課題を達成するため、この発明に係る商品前出し器具は、長手方向に２つの摺動部を持つレールと、基部が前記レールに係合し、該レールから上方へ続く押部を持つ押し板と、前記バネ収納室内に収納され、その先端を前記レール側に取付られ、前記押し板を引っ張るバネと、前記レール両端に突設の複数の係止ピンとを備えたことにある（請求項１）。これにより、係止ピンの利用により、商品前出し器具を商品前出し陳列装置の商品の押出しに適する位置に容易に設置することができる。
【０００７】
この請求項１に係る商品前出し器具において、前記複数の係止ピンは、前記レールの両端に嵌合され、前記バネを引っ掛ける係止片を持つ嵌合具に設けたことにある（請求項２）。
【０００８】
また、この発明に係る商品前出し陳列装置は、ケースの対向する側壁の内面に縦方向に溝部を多数設け、選択された取付位置に該当の複数の溝部に、前記請求項１の商品前出し器具の両端に設けられた複数の係止ピンをそれぞれ別々に挿入したことにある（請求項３）。これにより、陳列商品の大きさ特に巾に合わせて収納区画が決定されると共に商品前出し器具の設置位置を係止ピンと溝部との挿入位置の変更によって、自由に変えることができ、商品の背面の最適位置を押圧することができる。この場合商品前出し器具はケースの底面に設置され、押し板は底面より垂直方向へ突出している。
【０００９】
さらに、この発明に係る商品前出し陳列装置は、ケースの対向する側壁の内面に縦方向に溝部を多数設け、選択された取付位置に該当の一つの溝部に、前記請求項１の商品前出し器具の両端の複数の係止ピンを共に挿入したことにある（請求項４）。これにより、商品前出し器具の側面の一方を下にした状態、即ち押し板を９０度倒した横置となり、商品を横方向より押圧することになる。この場合には、収納区画を仕切る仕切板を兼ねるようになり、該仕切板を不要とする利点を持つことになる。
【００１０】
さらにまた、前記請求項１記載の商品前出し器具を９０度回転して横置にして挿入した時に、複数の係止ピンの一方が前記ケースの溝部の上端に引っ掛る形状とすることにある（請求項５）。これにより、商品前出し器具の係止ピンの一方が、前記溝部の上端に掛止保持され、押し出す商品の底面より高い位置において押し板を接触させることができるようになる。また、前記係止ピンの一方が前記溝部の上端に引っ掛る形状としては、その一部が前記溝部の横寸法と同等又はそれ以上とすることにある（請求項６）。
【発明の効果】
【００１１】
以上のように、請求項１の商品前出し器具のレール両端に突設の係止ピンにより、商品前出し陳列装置の任意の位置に容易に設置することができる。請求項３の商品前出し陳列装置にあっては、陳列商品の大きさ巾に合わせて商品前出し器具の設置位置を係止ピンと溝部の挿入位置の変更によって、自由に変えられ、商品の背面の最適位置を押圧できる。
【００１２】
また請求項４の商品前出し陳列装置にあっては、商品前出し器具の側面の一方を下に９０度回転した横置き状態では、陳列商品を横方向より押圧することになる。この場合には、収納区画を仕切る仕切板を兼ねるようになり、該仕切板を省くことができるので、巾変更時の設置が簡便になる他、仕切板分の費用が節約される。
【００１３】
請求項５にあっては、請求項１記載の商品前出し器具を９０度回転して横置きにした時に、複数の係止ピンの一方が前記ケースの溝部に引っ掛る形状とすることができる。これにより、商品前出し器具の係止ピンの一方が、前記溝部の上端に掛止保持され、底面より高い位置に維持させることができる。したがって、陳列商品の高い位置において押し板を接触させることができ、商品を押圧する力点を改善することができる。
【発明を実施するための最良の形態】
【００１４】
以下、この発明の実施例を図面をもとに説明する。
【実施例１】
【００１５】
図１，図２において、この発明に係る商品前出し陳列装置１が示され、樹脂のケース２は矩形状で、底面３とその上方に立設する４つの側壁５ａ，５ｂ，５ｃ，５ｄとより構成されている。そして、対向する側壁５ａと側壁５ｃには、その内面に多数の溝部７が設けられている。
【００１６】
この溝部７は、側壁５ａ，５ｃに一体に形成しても良いが、この実施例では、多数の溝７を持つ溝部材９，９が内面に添着されている。この溝部７を利用し、仕切板１２をその両端を前記溝部７内に挿入することで、ケース２は複数個の収納区画（ＡからＤ）に分割される。前記収納区画Ａ乃至Ｃには、その中心縦方向に下記する商品前出し器具１５が配されている。
【００１７】
この例では、商品前出し器具１５は、その下面を前記ケース１の底面３に接触する平置式となっている。Ａ収納区画では５個の商品１３を押し板１６により押している例、Ｂ収納区画では商品が収納されていない例、Ｃ収納区画では薄めの商品１３を６個を押し板１６により押している例である。Ｄ収納区画では商品前出し器具１５が横置され、その押し板１９が横方向に設置され、５個の商品１３を押している例である。
【００１８】
図３乃至図５において、前記した商品前出し器具１５は、レール１７と、このレール１７の両端に嵌着の嵌合具１８と、前記レール１７上を移動する押し板１９と、前記押し板１９内に設けられ、一端が前記嵌合具１８に係止するバネ２０とより成っている。
【００１９】
前記レール１７は、アルミニウム製で、両側に２つの摺動部２３ａ，２３ｂを、中心に長手方向に凹み２２を持ち、ありみぞ形状としたもので、両端に嵌合具１８が嵌め込まれている。この摺動部２３ａ，２３ｂに下記する押し板１９が一時的に止められる掛り溝２４が形成されている。
【００２０】
嵌合具１８は、本体２５に前記レール１７の端に嵌挿可能な形状とすると共に、中心にバネ２０が挿入される挿入孔２６が形成され、さらに前記バネ２０の先端を引っ掛ける係止片２７が形成されている。この嵌合具１８の本体２５の反レール側に２つの係止ピン２８ａ，２８ｂが長手方向に延びるように突設されている。この係止ピン２８ａ，２８ｂは、溝部７内に入る径となっている。
【００２１】
押し板１９はレール１７の摺動部２３ａ，２３ｂ上に載置される基部３１と、この基部３１から突出の押部３２よりなり、前記基部３１は左右方向へ突出する一対の挾持部３３を持ち、前記摺動部２３ａ，２３ｂを挾持して、押し板１９をレール１７上に摺動可能に立設している。
【００２２】
押部３２はその背面に並設の補強板３４，３４が設けられ、該補強板３４，３４間にバネ収納室３５が設けられている。このバネ収納室３５内に収納のバネ２０は、その先端が前記した嵌合具１８の係止片２７に係止されている。したがって、押し板１９はバネ２０により引っ張られ、図５に示すように、嵌合具２５に接するまで摺動されている。
【００２３】
バネ２０は、巻きぐせが付けられた板状のバネで、先端に孔３７を持ち、前記したように、嵌合具２５の係止片２７に係止されている。
【００２４】
上述の構成において、陳列する商品の巾により、仕切板１２の配置位置を定め、商品巾に合う収納区画を作り出す。それから、商品前出し器具１５をその収納区画内に設置する。即ち、係合ピン２８ａ，２８ｂを選択された取付位置の所定の溝部７内に挿入することで行われる。それから、押し板１９をバネ２０に抗して後退させ、掛り溝２４に係止させ、しかる後に、商品を収納区画内に収納する。そして、押し板１９の係止を外し、商品の背後から押圧させる。これにより商品の陳列が終了し、前方から商品１３が取り外されると、抜けた商品の厚み分だけ押し板１９にて前方へ押し出され、常に商品は前出しされる。
【００２５】
図１，図２，図６に示されるように、押し板１９が横置き設置例が示され、レール１７の一方の摺動部２３ｂを下方にして、係止ピン２８ａ，２８ｂを一つの溝部７内に挿入することで行われる。これにより、押し板１９の押部３２が商品１３を横方向より押圧することができる。この場合にＤ収納区画は仕切板を省くことができるので、設置が簡便になり、費用も節約できる。
【実施例２】
【００２６】
図７乃至図１０において、この発明の他の例が示されている。この実施例２では押し板１９の商品１３との当接位置の改善を図ったものである。即ち、前記実施例１では、押し板１９のケースの底面３から位置が決まっていたために、大きな商品や縦方向寸法の大きな商品では、押圧位置が商品の下方となり、押圧には問題はないが、バランスの良い押し方でないものとなっていた。
【００２７】
実施例２では、係止ピン２８ａ，２８ｂの一方の係止ピン２８ｂの形状を変更することで対応している。即ち、商品前出し器具１の係止ピン２８ａは、角形状を成しているが前記実施例１と同じように、縦及び横辺（Ａ寸法）が溝部７の横寸法（Ｃ寸法）よりも小さく形成されている。したがって、係止ピン２８ｂは溝部７内に方向性を問わず容易に挿入される。
【００２８】
これに対し、係止ピン２８ｂは、嵌合具１８が図７，図８のような図示状態（水平状態）にあるとき、横辺はＡ寸法と成っていて、当然ながら前記溝部７の横寸法Ｃよりも小さくなっている。縦辺はＢ寸法と成っていて、前記溝部７の横寸法Ｃより大きくなっている。したがって、商品前出し器具１５を平置する場合には、両係止ピン１８ａ，１８ｂ共に、溝部７の横寸法よりも横辺は小さいため容易に挿入される。
【００２９】
一方、商品前出し器具１５を横置きする場合には、図９，図１０に示すように、係止ピン１８ａは、溝部７に容易に挿入されるが、係止ピン１８ｂは、その縦辺が溝部７の横寸法よりも大きいために、溝部７を構成する突条１０に係止されることになる。即ち、商品前出し押し器具１５をケース２の底面３まで落下させずに、溝部７の上端で係止保持されることになる。これにより、商品前出し器具１５を底面より高い位置に保ち、押し板１９を商品に高い位置にて接触させることができる。なお、前記した例に限らず、横置にした時に、係止ピン２８ｂがケースの溝部７に引っ掛る形状であれば良いことは勿論である。またその他の部分は前記した実施例１と同一であり、同一部分に同一符号を付して説明を省略する。この実施例２にあっては、図１０で明らかなようにレールが仕切板を兼ねるようになり、該仕切板は用いられていない。
【実施例３】
【００３０】
前記した実施例１又は２にあっては、係止ピン２８ａ，２８ｂをレール１７に嵌合する嵌合具１８に取付けているが、係止ピンを直接レールに一体形成することも可能である。
【図面の簡単な説明】
【００３１】
【図１】この発明に係る商品前出し陳列器具を用いた商品前出し陳列装置の斜視図である。
【図２】同上の平面図である。
【図３】商品前出し器具の斜視図（押し板を後退させた状態）である。
【図４】商品前出し器具の分解斜視図である。
【図５】商品前出し器具の断面図である。
【図６】商品前出し器具の横置例を示す説明図である。
【図７】この発明の実施例２を示し、商品前出し器具の斜視図（押し板を後退させた状態）である。
【図８】同上の嵌合具と係止ピン付近の拡大斜視図である。
【図９】実施例２の商品前出し器具の横置例を示す説明図である。
【図１０】この発明の実施例２の商品前出し器具を用いた商品前出し陳列装置の斜視図である。
【符号の説明】
【００３２】
１  商品前出し陳列装置
２  ケース
３  底面
５ａ，５ｂ，５ｃ，５ｅ  側壁
７  溝部
９  溝部材
９ａ  上方の溝部材
９ｂ  下方の溝部材
１２  仕切板
１５  商品前出し器具
１７  レール
１８  嵌合具
１９  押し板
２０  バネ
２３，２３ｂ  摺動部
２７  係止片
２８ａ，２８ｂ  係止ピン
３２  押部
３５  バネ収納室
【図１】
2005237566.tif 000003
【図２】
2005237566.tif 000004
【図３】
2005237566.tif 000005
【図４】
2005237566.tif 000006
【図５】
2005237566.tif 000007
【図６】
2005237566.tif 000008
【図７】
2005237566.tif 000009
【図８】
2005237566.tif 000010
【図９】
2005237566.tif 000011
【図１０】
2005237566.tif 000012